(57)【要約】【課題】本発明の課題は、衣服のデザインの魅力が最大限に表現されるようマネキンを動作させることができるモーションコントロールシステムを提供することである。【解決手段】上記課題は、一体構造の骨格をもつ生体型の人形であって、該人形の全身の関節を内蔵された関節駆動用のアクチュエータにより制御するモーションコントロールシステムにおいて、前記生体型の人形は、所定の通信網に接続される制御装置との情報のやりとりを行う通信手段と、前記制御装置から送信される前記生体型の人形の動作に係る動作制御情報を前記通信手段により受信した際に、該動作制御情報に基づいて前記関節駆動用アクチュエータを制御して所定の関節を駆動させる駆動制御手段とを備えたことを特徴とするモーションコントロールシステムにて解決される。【選択図】　図１
2004057223.tif 000002
【特許請求の範囲】
【請求項１】
一体構造の骨格をもつ生体型の人形であって、該人形の全身の関節を内蔵された関節駆動用のアクチュエータにより制御するモーションコントロールシステムにおいて、
前記生体型の人形は、所定の通信網に接続される制御装置との間でデータをやりとりする通信手段と、
前記制御装置から送信される前記生体型の人形の動作に係る動作制御情報を前記通信手段により受信した際に、該動作制御情報に基づいて前記関節駆動用アクチュエータを制御して所定の関節を駆動させる駆動制御手段とを備えたことを特徴とするモーションコントロールシステム。
【請求項２】
請求項１記載のモーションコントロールシステムにおいて、
前記制御装置は、前記生体型の人形に装着させる衣服の種類に応じた動作のデータを蓄積する動作データ蓄積手段を備え、その蓄積されたデータを前記動作制御情報として所定のタイミングで前記生体型の人形の前記通信手段に送信することを特徴とするモーションコントロールシステム。
【請求項３】
請求項１又は２記載のモーションコントロールシステムにおいて、
前記生体型の人形は、ＲＦタグと交信可能なＲＦタグリーダと、
前記生体型の人形に装着せる取扱商品固有のＲＦタグの情報を前記ＲＦタグリーダにて読取った後、その読取ったＲＦタグの情報と予め所定のメモリに記憶されている前記生体型の人形を識別するＩＤ情報とを前記通信手段を用いて、前記制御装置に送信する第１商品別動作情報要求手段とを備え、
前記制御装置は、前記商品別動作情報要求手段から送られてきた情報に対応付けられる前記動作制御情報を前記動作データ蓄積手段から検索して前記生体型の人形の前記通信手段に送信する第１商品別動作情報提供手段を備えたことを特徴とするモーションコントロールシステム。
【請求項４】
請求項３記載のモーションコントロールシステムにおいて、
前記ＲＦタグとしてＩＣメモリを用いることを特徴とするモーションコントロールシステム。
【請求項５】
請求項３記載のモーションコントロールシステムにおいて、
前記ＲＦタグとして固有周波数共振部品を用いることを特徴とするモーションコントロールシステム。
【請求項６】
請求項１又は２記載のモーションコントロールシステムにおいて、
前記生体型の人形は、バーコードを読むバーコードリ−ダを備え、
前記生体型の人形に装着せる取扱商品固有のバーコードの情報を前記バーコードリ−ダにて読取った後、その読取ったバーコードの情報と予め所定のメモリに記憶されている前記生体型の人形を識別するＩＤ情報とを前記通信手段を用いて、前記制御装置に送信する第２商品別動作情報要求手段とを備え、
前記制御装置は、前記商品別動作情報要求手段から送られてきた情報に対応付けられる前記動作制御情報を前記動作データ蓄積手段から検索して前記生体型の人形の前記通信手段に送信する第２商品別動作情報提供手段を備えたことを特徴とするモーションコントロールシステム。
【請求項７】
請求項１乃至６いずれか記載のモーションコントロールシステムにおいて、
前記制御装置は、前記動作データ蓄積手段に蓄積されている前記動作制御情報を所定間隔で更新し、その更新した前記動作制御情報を所定のタイミングで前記生体型の人形の前記通信手段に送信する動作データリフレッシュ手段を備えたことを特徴とするモーションコントロールシステム。
【請求項８】
請求項１乃至７いずれか記載のモーションコントロールシステムにおいて、
前記生体型の人形が人体を模したマネキン又は動物を模した人形であることを特徴とするモーションコントロールシステム。
【請求項９】
所定の通信網を介して制御対象を制御する制御装置において、
一体構造の骨格をもつ生体型の人形を前記制御対象とし、
前記生体型の人形の動作に係る情報を動作制御情報として蓄積する動作データ蓄積手段と、
前記動作データ蓄積手段に蓄積された動作制御情報を前記生体型の人形に送信して該生体型の人形の関節に内蔵される関節駆動用アクチュエータを駆動させる遠隔動作制御手段とを備えたことを特徴とする制御装置。
【請求項１０】
請求項９記載の制御装置において、
前記遠隔動作制御手段は、前記生体型の人形に具備される通信手段から該生体型の人形を識別するＩＤ情報を、前記通信網を介して受信した際に、そのＩＤ情報を用いてユーザ認証する認証手段を備え、
前記認証手段により、ユーザの正当性が確認された場合に、該生体型の人形に装着せる取扱商品固有の情報に対応する動作制御情報を前記動作データ蓄積手段に蓄積されているデータの中から取得して前記生体型の人形に送信することを特徴とする制御装置。
【請求項１１】
請求項１０記載の制御装置において、
前記動作データ蓄積手段に蓄積された動作制御情報を前記生体型の人形に送信したとき、
ユーザ情報を管理する顧客データベースにアクセスして前記ＩＤ情報から識別される該当ユーザに対し課金する課金手段を備えたことを特徴とする制御装置。
【請求項１２】
一体構造の骨格をもつ生体型の人形であって、該人形の全身の関節を内蔵された関節駆動用のアクチュエータにより制御するモーションコントロール方法において、
前記生体型の人形は、ＲＦタグと交信可能なＲＦタグリーダを具備し、
装着された取扱商品固有のＲＦタグの情報を前記ＲＦタグリーダにて読取った後、その読取ったＲＦタグの情報と予め所定のメモリに記憶されている前記生体型の人形を識別するＩＤ情報を所定の通信網を介して前記制御装置に送信し、
前記制御装置は、受信した前記ＲＦタグの情報と、前記ＩＤ情報に対応付けられる前記生体型の人形の動作に係る動作制御情報を、所定のデータベースを検索して該生体型の人形に送信し、
前記生体型の人形は、前記制御装置から送信された前記動作制御情報を受信した際に、該動作制御情報に基づいて前記関節駆動用アクチュエータを制御して所定の関節を駆動させることを特徴とするモーションコントロール方法。
【発明の詳細な説明】
【０００１】
【発明の属する技術分野】
本発明は、モーションコントロールシステム、モーションコントロール方法及び制御装置に係り、詳しくは、店舗、および展示会場などにおいて、歩行者又は、来客の関心を引き、かつ洋服を着て歩いた時の動き、形、雰囲気などの情報を、通信網を介して生体型の人形に提供して制御するモーションコントロールシステムに関する。
【０００２】
また、本発明は、そのようなモーションコントロールシステムで適用されるモーションコントロール方法を提供する
さらに、本発明は、そのようなモーションコントロール方法に従って生体型の人形の動作を制御する制御装置に関する。
【０００３】
【従来の技術】
従来より、洋装展の店舗や、イベントなどで使われる宣伝もしくは来客の興味を引くために人間型のマネキンが使われている。このような人間型のマネキンには、動作を伴わない一般の洋装店用マネキンのほかに、油圧などの駆動装置、リンク機構、ギア機構、カム機構などの駆動方式で所定の動作を行わせるマネキンがあり、例えば、客寄せの太鼓をたたいたり、お辞儀をしたりするマネキンがある。
【０００４】
【発明が解決しようとする課題】
しかしながら、従来のこうしたマネキンは、所定の動作をカムなどに記憶して、固定した動作を繰り返すのみであった。また、洋装店のマネキンは、動作を行わないものがほとんどであるが、動作を行うとしても、マネキンが着ている衣服とは無関係に予め決められた動作を繰り返すのみで、デザイナが衣服をデザインする時に想定した衣服がよりよく美しく魅力的に見える固有の人体の動作の再現とは異なるという問題があった。衣服のデザインを最適に見せるには、ファッションショー等でプロのモデルが着用して振り付けを自ら行って衣服のアピールをする必要があるが、ショーの開催には多額の資金がかかり、一般のショーウィンドウと売り場だけをもつ洋装店では、ショー事体の開催が難しいという問題があった。また、固定型のマネキンでは、衣服のディスプレイは静態のみで、本来着用した人が動いてデザインの魅力が表現される衣服のデザイン的価値が、客に十分伝わらないという問題があった。
【０００５】
本発明は、上記のような問題点に鑑みてなされたもので、その課題とするところは、衣服のデザインの魅力が最大限に表現されるようマネキンを動作させることができるモーションコントロールシステムを提供することである。
【０００６】
また、そのようなモーションコントロールシステムで用いられる制御装置を提供することである。
【０００７】
さらに、そのようなモーションコントロールシステムに適用されるモーションコントロール方法を提供することである。
【０００８】
【課題を解決するための手段】
上記課題を解決するため、本発明は、請求項１に記載されるように、一体構造の骨格をもつ生体型の人形であって、該人形の全身の関節を内蔵された関節駆動用のアクチュエータにより制御するモーションコントロールシステムにおいて、前記生体型の人形は、所定の通信網に接続される制御装置との間でデータをやりとりする通信手段と、前記制御装置から送信される前記生体型の人形の動作に係る動作制御情報を前記通信手段により受信した際に、該動作制御情報に基づいて前記関節駆動用アクチュエータを制御して所定の関節を駆動させる駆動制御手段とを備えたことを特徴としている。
【０００９】
本発明の請求項２は、前記モーションコントロールシステムにおいて、前記制御装置は、前記生体型の人形に装着させる衣服の種類に応じた動作のデータを蓄積する動作データ蓄積手段を備え、その蓄積されたデータを前記動作制御情報として所定のタイミングで前記生体型の人形の前記通信手段に送信することを特徴としている。
【００１０】
本発明の請求項３は、前記モーションコントロールシステムにおいて、前記生体型の人形は、ＲＦタグと交信可能なＲＦタグリーダと、前記生体型の人形に装着せる取扱商品固有のＲＦタグの情報を前記ＲＦタグリーダにて読取った後、その読取ったＲＦタグの情報と予め所定のメモリに記憶されている前記生体型の人形を識別するＩＤ情報とを前記通信手段を用いて、前記制御装置に送信する第１商品別動作情報要求手段とを備え、前記制御装置は、前記商品別動作情報要求手段から送られてきた情報に対応付けられる前記動作制御情報を前記動作データ蓄積手段から検索して前記生体型の人形の前記通信手段に送信する第１商品別動作情報提供手段を備えたことを特徴としている。
【００１１】
本発明の請求項４は、前記モーションコントロールシステムにおいて、前記ＲＦタグとしてＩＣメモリを用いることを特徴としている。
【００１２】
本発明の請求項５は、前記モーションコントロールシステムにおいて、前記ＲＦタグとして固有周波数共振部品を用いることを特徴としている。
【００１３】
本発明の請求項６は、前記モーションコントロールシステムにおいて、前記生体型の人形は、バーコードを読むバーコードリ−ダを備え、前記生体型の人形に装着せる取扱商品固有のバーコードの情報を前記バーコードリ−ダにて読取った後、その読取ったバーコードの情報と予め所定のメモリに記憶されている前記生体型の人形を識別するＩＤ情報とを前記通信手段を用いて、前記制御装置に送信する第２商品別動作情報要求手段とを備え、前記制御装置は、前記商品別動作情報要求手段から送られてきた情報に対応付けられる前記動作制御情報を前記動作データ蓄積手段から検索して前記生体型の人形の前記通信手段に送信する第２商品別動作情報提供手段を備えたことを特徴としている。
【００１４】
本発明の請求項７は、前記モーションコントロールシステムにおいて、前記制御装置は、前記動作データ蓄積手段に蓄積されている前記動作制御情報を所定間隔で更新し、その更新した前記動作制御情報を所定のタイミングで前記生体型の人形の前記通信手段に送信する動作データリフレッシュ手段を備えたことを特徴としている。
【００１５】
本発明の請求項８は、前記モーションコントロールシステムにおいて、前記生体型の人形が人体を模したマネキン又は動物を模した人形であることを特徴としている。
【００１６】
上記本発明の構成によれば、所定の通信網に接続される制御装置から各関節にアクチュエータを内蔵し、人間等の動物を模した動作を行うことができる生体型の人形（例：マネキン）に、身振り手振りの動きのデータ（モーションデータ）を配信するので、情報配信者の意図にあった動きを上記生体型の人形にさせることができる。
【００１７】
また、上記制御装置から配信されるモーションデータは、上記生体型の人形に装着する衣服のＩＤに基づいて配信されるので、衣服のデザインの種類に応じた最適な身振り手振りの動きを上記生体型の人形にさせることができる。
【００１８】
さらに、カムに生体型人形の動作を記憶させたり、ＲＯＭに動作を記憶させたりする従来と比して、制御装置に蓄積されるモーションデータは適宜、最新のモード（芸術的な創作）に基づいて更新されるので、商品である衣服のデザインに最適な身振り手振りの動作を生体型人形させることができ、ユーザに商品としての衣服をより効果的にアピールすることができる。
【００１９】
また、さらに、本発明によれば、上で示したモーションデータをワイヤレス（無線通信）で受けるので、通常の洋装店でも、上記同様の効果を奏する。
【００２０】
【発明の実施の形態】
以下、本発明の実施の形態を図面に基づいて説明する。
【００２１】
本発明の実施の一形態に係るモーションコントロールシステムは、例えば、図１に示すように構成される。
【００２２】
図１において、このモーションコントロールシステムは、モーションマネキン装置１、基地局１００、ネットワーク２００、制御装置３１（以下、モーションデータ配信サーバという）から構成される。図２は、図１に示すモーションマネキン装置１の概略図である。（Ａ）は正面図、（Ｂ）は側面図である。同図において、このモーションマネキン装置１は、上記基地局１００と無線通信が可能なワイヤレス端末モジュール３、装着される衣服に取り付けられるＲＦタグの情報を読取るためのＲＦタグリーダ４、さらに、当該モーションマネキン装置１と腰部で接合して支えるスタンド（例：一定範囲の鉄板）２から構成され、本モーションマネキン装置１は、腰部で接合した上記スタンド２によって、モーションマネキン装置１全体が、床から離れて空中に浮いた形で支持される。また、このモーションマネキン装置１の各関節にはアクチュエータが内蔵（図示省略）されている。上記ワイヤレス端末モジュール３は、アンテナ、送受信機、変復調器、信号処理器等（図示省略）等を備え、基地局１００との無線通信が可能で、ネットワーク２００と接続されるモーションデータ配信サーバ３７との通信が可能となっている。モーションマネキン装置１の腰部に内蔵された上記ＲＦタグリーダ４は、制御部と、アンテナ部等（図示省略）から構成され、上記ＲＦタグはメモリ部、アンテナ部等から構成（図示省略）される。なお、図２に示すＲＦタグリーダ４は、ここでは、モーションマネキン装置１の腰部に取り付ける例を示しているが、取り付け場所は限定されるものでなく、衣服に装着されたＲＦタグが読取れれば腰部以外の場所であってもかまわない。
【００２３】
図１に戻って、モーションデータ配信サーバ３１は、配信装置３２、認証装置３３、課金装置３４、ＣＰＵ３５、顧客ＤＢ（データベース）３６、モーションデータＤＢ（データベース）３７から構成され、配信装置３２、認証装置３３、課金装置３４、顧客ＤＢ（データベース）３６、モーションデータＤＢ（データベース）３７の各々はＣＰＵ３５によって制御される。
【００２４】
図３は、上記モーションマネキン装置１におけるモーション制御系の概略図である。
【００２５】
図３において、このモーション制御系には、上述したワイヤレス端末モジュール３、ＲＦタグリーダ４の他に、ＣＰＵ４１、モーションデータ記憶部４２、サーボドライバ４３、各関節に内蔵されたアクチュエータ（モータＭ１〜Ｍｎ）４４１〜４４ｎが備えられる。ＣＰＵ４１には、ワイヤレス端末モジュール３、ＲＦタグリーダ４、モーションデータ記憶部４２、サーボドライバ４３がそれぞれ接続され、モーションマネキン装置１全体の制御を司る。
【００２６】
上記のように構成されたモーションコントロールシステムにおいて、システム全体の動作を、図４を参照しながら説明する。図４は、モーションコントロールシステムの動作を示すフローチャートである。
【００２７】
上記モーションマネキン装置１に、ＲＦタグの付いた衣服を着せる（Ｓ１）と、その衣服に装着されているＲＦタグの情報（衣服固有の情報で、以下、衣服データと略記）が、モーションマネキン装置１に内蔵されたＲＦタグリーダ４にて読み込まれる（Ｓ２）。このＲＦタグリーダ４で読み込まれた衣服データは、ＣＰＵ４１に送られ、ＣＰＵ４１に予め記憶されているモーションマネキン装置１のＩＤデータ（モーションマネキン装置１を識別するＩＤ情報）とともにワイヤレス端末モジュール３に出力されて基地局１００へと送信（Ｓ３）される。
【００２８】
上記のようにして基地局１００に送信された衣服データと、モーションマネキン装置１のＩＤデータは、ネットワーク２００を介してモーションデータ配信サーバ３１に送られ、認証装置３３では、上記モーションマネキン装置１のＩＤデータを用いた認証処理（Ｓ４）が行われる。一方、上記衣服データは、ＣＰＵ３５に送られる。
【００２９】
上記認証装置３３での認証処理は、認証装置３３に登録されているモーションマネキン装置のＩＤデータと送られてきたモーションマネキン装置１のＩＤデータとを比較し、その比較結果からアクセス元の正当性を確認する処理である。
【００３０】
認証装置３３での認証結果（認証ＯＫあるいは認証ＮＧ）はＣＰＵ３５に送られ、ＣＰＵ３５は、認証ＯＫを通知された場合に限ってモーションデータＤＢ３７にアクセスし、上記衣服データにて指定されるモーションデータα（各衣服用に個別にデザイン、設計されたモーションデータ）を検索し、取得（Ｓ５）する。ＣＰＵ３５はモーションデータＤＢ３７から取得したモーションデータαを配信装置３２に送出する。配信装置３２では、モーションデータαをネットワーク上に送出するためのフォーマッティング処理（パケット化処理）や、誤り耐性を高めるための符号化処理等を施してネットワーク２００に出力する。
【００３１】
このようにしてネットワーク２００に出力されたモーションデータαは、基地局１００に送られ、無線区間を介してモーションマネキン装置１のワイヤレス端末モジュール３に送られる（Ｓ６）。このとき、モーションデータ配信サーバ３１のＣＰＵ３５は、顧客ＤＢ３６にアクセスし、上記モーションマネキン装置１のＩＤデータに対応付けられるユーザの情報を取得し、課金装置３４に出力する。課金装置３４では、ＣＰＵ３５から送られてきたユーザ情報をもとに該当するユーザに対する課金（この場合の課金は、モーションデータαの利用に対する課金）を行う（Ｓ７）。
【００３２】
モーションデータ配信サーバ３１から送信されたモーションデータαを受信した上記モーションマネキン装置１のワイヤレス端末モジュール３は、その受信したモーションデータαを復調してＣＰＵ４１に送る。ＣＰＵ４１は、復調後のモーションデータαをモーションデータ記憶部４２に出力して記憶させる。ＣＰＵ４１は、その後、モーションデータ記憶部４２からモーションデータαを取り出し、サーボドライバ４３に出力する。サーボドライバ４３は、ＣＰＵ４１から受けとったのモーションデータαに基づいて、各関節を駆動するアクチュエータを駆動するためのサーボ信号発生し、各モータ４４１〜４４ｎの供給する。これにより、各関節のアクチュエータ４４１〜４４ｎがモーションデータαに基づいて動作する。図５は、上記モーションデータαの一例を示す図で、モーションデータ記憶部４２は各関節の角度θ（θ１〜θｎ）を時系列的に軌道として記憶する。
【００３３】
モーションマネキン装置１は、上記のようにしてモーションデータαに基づくモーションを開始（Ｓ８）すると、モーションデータを更新するかどうかを判定（Ｓ９）する。モーションデータαは、流行に伴う陳腐化もあるので、任意に設定された日数の間隔をおいて、新規のモーションデータα´にアップデートする必要がある。本例の場合、モーション開始時に、モーションデータα受信後の積算日数がＣＰＵ４１にて演算され、ＣＰＵ４１はその積算日数が所定日数を超えていればモーションデータを更新すべきと判断（Ｓ９でＹＥＳ）して、衣服のデータとマネキン装置のＩＤ（このとき、モーションデータαの更新を要求するフラグビットが立つ）を、ワイヤレス端末モジュール３を介してモーションデータ配信サーバ３１に送信する。その後、更新されたモーションデータ、例えば、モーションデータα´が上記同様な手順にしたがってモーションマネキン装置１に送出され、当該モーションマネキン装置１では、衣服に適した最新のモーションが開始される。一方、上記判定（Ｓ９）で、上記積算日数が所定日数を超えていないと判断されれば、モーションデータの更新はまだ必要ないと判断（Ｓ９でＮＯ）して一連の処理を終える。
【００３４】
図６は、モーションマネキン装置１に装着させる衣服の着衣を検出する第１の検出方法を示す図で、例えば、モーションマネキン装置１の肩にマイクロＳＷ６０を取り付け、衣服が肩にかかった時点で、上記マイクロＳＷ６０がＯＮになって衣服が検出される（その後、衣服に装着されたＲＦタグの情報がＲＥタグリーダにて読み込まれる）。
【００３５】
図７は、モーションマネキン装置１に装着させる衣服の着衣を検出する第２の検出方法を示す図で、例えば、モーションマネキン装置１の肩に赤外線ＬＥＤ７０と赤外線フォトトランジスタ７１をペアで取り付け、赤外線ＬＥＤ７０から発した光が衣服に反射し、その反射光を赤外線フォトトランジスタ７１で受光した際に、反射光が閾値を超えていれば服が肩にかかったとみなして検出する。
【００３６】
また、モーションマネキン装置１に装着させる衣服の着衣を検出方法は、上で示した図６、７の方法以外にも、モーションマネキン装置１に「耳」に相当するマイク（マイクロフォン）、「目」に相当するＣＣＤ（Ｃｈａｒｇｅ　Ｃｏｕｐｌｅｄ　Ｄｅｖｉｃｅ）カメラ、触覚に相当するタッチセンサ等を備え、それぞれのセンサにて衣服の着衣を検出させるような形態であってもよい。この場合、図３のモーション制御系を図８のように構成すればよい。
【００３７】
図８において、このモーション制御系は、図３に示したワイヤレス端末モジュール３、ＣＰＵ４１等の他に、着衣検出センサ系として、センサ入力処理部５０と各センサ（マイク５１、ＣＣＤ５２、タッチセンサ５３）を備える。センサ入力処理部５０は、音声認識部５４、画像認識部５５、圧力検出部５６を備え、マイク５１、ＣＣＤ５２、タッチセンサ５３から与えられる音声信号、画像信号、圧力検出信号等に基づいて、特定の外部状態や、ユーザからの働きかけ、ユーザからの指示等を認識して衣服の着衣状態を検出する。
【００３８】
上記実施形態では、モーションマネキン装置１に内蔵されたワイヤレス端末モジュール３が無線区間を介して基地局１００と通信し、ネットワーク２００に接続されるモーションデータ配信サーバ３１からモーションデータを受信する形態であったが、上記基地局１００に無線でなく有線で接続するような形態であってもかまわない。また、上記ネットワーク２００は、ＩＳＤＮやＰＨＳ、インターネット、無線ＬＡＮ網、光ファイバ網、ＰＤＣやＩＭＴ−２０００、さらに第４世代移動通信で用いられる移動通信網等のいずれであってもよい。
【００３９】
また、本例では、衣服データの記憶と読取りにＲＦタグを用いたが、本発明はこれに限定されるものではない。例えば、バーコード（１次元や２次元バーコード）とそれに対応したレーザリーダであってもよい。
【００４０】
また、本例では、モーションマネキン装置１をスタンド２で空中に支える例を示したが、これ以外にも、モーションマネキン装置１が２足歩行の機能を有して、ショーウィンドウや店内を歩き回る形態であってもよい。この場合、身振り手振りのモーションデータに加え、前後左右等、歩き回るモーションデータがモーションデータ配信サーバ３１から提供される。
【００４１】
さらに、本例では、生体型の人形として、人間を模した動作を行えるマネキンを例に説明してきたが、人間を模した人形以外にも犬や猫などを模した動物型の人形であっても勿論よい。
【００４２】
上記例において、モーションマネキン装置１のワイヤレス端末モジュールの通信機能が通信手段、第１商品別動作情報要求手段、第２商品別動作情報要求手段に、ＣＰＵ４１のモーション制御機能が駆動制御手段に対応する。また、モーションデータ配信サーバ３１のモーションデータＤＢ３７のデータベース機能が動作データ蓄積手段に、ＣＰＵ３５のモーションデータ検索取得制御機能が第１商品別動作情報提供手段、第２商品別動作情報提供手段、遠隔動作制御手段に対応し、同ＣＰＵ３５のモーションデータ更新制御機能が動作データリフレッシュ手段に対応する。さらに、認証装置の３３認証機能が認証手段に、課金装置３４の課金機能が課金手段に対応する。
【００４３】
【発明の効果】
以上、説明したように、本願発明によれば、所定の通信網に接続される制御装置から各関節にアクチュエータを内蔵し、人間等の動物を模した動作を行うことができる生体型の人形に、身振り手振りの動きのデータを配信するので、情報配信者の意図にあった動きを上記生体型の人形にさせることができる。
【００４４】
また、上記制御装置から配信されるモーションデータは、上記生体型の人形に装着する衣服のＩＤに基づいて配信されるので、衣服のデザインの種類に応じた最適な身振り手振りの動きを上記生体型の人形にさせることができる。
【００４５】
さらに、カムに生体型人形の動作を記憶させたり、ＲＯＭに動作を記憶させたりする従来と比して、制御装置に蓄積されるモーションデータは適宜、最新のモード（芸術的な創作）に基づいて更新されるので、商品である衣服のデザインに最適な身振り手振りの動作を生体型人形させることができ、ユーザに商品としての衣服をより効果的にアピールすることができる。
【００４６】
また、さらに、本発明によれば、上記モーションデータをワイヤレス（無線通信）で受けるので、通常の洋装店でも、上記同様の効果を奏する。
【図面の簡単な説明】
【図１】本発明の実施の一形態に係るモーションコントロールシステムの構成図である。
【図２】図１に示すモーションマネキン装置の正面図と側面図である。
【図３】モーションマネキン装置におけるモーション制御系の概略図である。
【図４】モーションコントロールシステムの動作を示すフローチャートである。
【図５】モーションデータαの一例を示す図である。
【図６】モーションマネキン装置に装着させる衣服の着衣を検出する第１の検出方法を示す図である。
【図７】モーションマネキン装置に装着させる衣服の着衣を検出する第２の検出方法を示す図である。
【図８】衣服の着衣検出センサ系の概略構成図である。
【符号の説明】
１　　モーションマネキン装置
２　　スタンド
３　　ワイヤレス端末モジュール
４　　ＲＦタグリーダ
３１　モーションデータ配信サーバ（制御装置）
３２　配信装置
３３　認証装置
３４　課金装置
３５、４１　ＣＰＵ
３６　顧客ＤＢ（データベース）
３７　モーションデータＤＢ（データベース）
３８　衣服
３９　ＲＦタグ
４２　モーションデータ記憶部
４３　サーボドライバ
４４１〜４４ｎ　モータ
５０　センサ入力処理部
５１　マイク
５２　ＣＣＤ
５３　タッチセンサ
５４　音声認識部
５５　画像認識部
５６　圧力検出部
６０　マイクロＳＷ（スイッチ）
７０　赤外線ＬＥＤ
７１　赤外線フォトトランジスタ
１００　基地局
２００　ネットワーク
【図１】
2004057223.tif 000003
【図２】
2004057223.tif 000004
【図３】
2004057223.tif 000005
【図４】
2004057223.tif 000006
【図５】
2004057223.tif 000007
【図６】
2004057223.tif 000008
【図７】
2004057223.tif 000009
【図８】
2004057223.tif 000010